(57)【要約】【課題】本発明はネックレス穴あけ装置を開示した。【解決手段】本発明はネックレス穴あけ装置を開示し、台座を含み、前記台座の中には上に開口する水槽が設置されており、前記水槽の中には上端が外部空間に位置する支柱が設置されており、前記支柱の中には上に開口する凹み溝が設置されており、前記台座の上端面には支持ブロックが設置されており、前記支持ブロックの中には右に開口する駆動溝が設置されており、本装置は作動する時、自動的に真珠に穴を開けられ、人工の協力が必要なく、真珠穴あけの効率を極めて高め、且つ伸縮できる斜め切断パイプによって、穴を開ける時常に穴を開けるところを合わせ、穴あけによって生じる熱量を減らし、真珠の損傷を減少する。【選択図】図１
2020179659.tif 000002
【特許請求の範囲】
【請求項１】
正面視で、台座を含み、前記台座の中には上に開口する水槽が設置されており、前記水槽の中には上端が外部空間に位置する支柱が設置されており、前記支柱の中には上に開口する凹み溝が設置されており、前記台座の上端面には支持ブロックが設置されており、前記支持ブロックの中には右に開口する駆動溝が設置されており、前記駆動溝の中には第一モーターが設置されており、前記第一モーターの右端には駆動軸が伝動できるように設置されており、前記駆動軸の右端には右端が外部空間に位置する穴あけ針が設置されており、前記駆動溝の上端壁の中には貯水チャンバが設置されており、前記貯水チャンバの中にはバリアが設置されており、前記バリアの中には右端が外部空間に位置する斜め断面水管が設置されており、前記バリアの左端面には二つの戻しばねが設置されており、前記貯水チャンバの左端壁には外部空間に連通する通水管が設置されており、前記通水管の中には水圧ポンプが設置されており、前記支持ブロックの上端には固定ブロックが設置されており、前記固定ブロックの中には移動機構が設置されており、前記移動機構は下に開口する移動チャンバを含み、前記移動チャンバの前後端壁のいずれもの中には液圧機構が設置されていることを特徴とするネックレス穴あけ装置。
【請求項２】
前記移動機構は二本の移動軸を含み、前記移動軸の両端と前記移動チャンバの端壁とが回転できるように連結されており、後側の前記移動軸の左端には第二モーターが伝動できるように連結されており、後側の前記移動軸には前端が前側の前記移動軸とスライドできるように連結される移動ブロックがねじ山によって連結され、前記移動ブロックの中には左に開口する移動溝が設置されており、前記移動溝の中には二つのスライダが設置されており、前記スライダの左端には左端が前記移動チャンバの中には位置するリンクが設置されており、前記リンクの左端には下端が前記水槽の中に位置する挟み棒が固定的に設置されており、前記移動チャンバの中には両端が全て外部空間に位置する真珠入りパイプが設置されており、前記真珠入りパイプには右に開口する切断溝が設置されていることを特徴とする請求項１に記載のネックレス穴あけ装置。
【請求項３】
前記液圧機構は左に開口するスライドチャンバを含み、前記スライドチャンバの中には左端が前記切断溝の中に位置する切断板が設置されており、前記切断板の上端面には位置制限ブロックが設置されており、前記切断板の右端には液圧板がスライドできるように連結されており、前記切断板の右端には右端が前記スライドチャンバの端壁と連結される圧縮撥条が固定的に設置されており、前記スライドチャンバの右端壁の中には二つの液圧チャンバが設置されており、前記液圧チャンバには推し板が設置されており、前記液圧板の右端には右端が前記液圧チャンバの中に位置して前記推し板と連結される液圧棒が設置されており、前記支持ブロックの中には二つの推しチャンバが設置されており、前記推しチャンバの中にはスライドボードが設置されており、前記推しチャンバの中には右端が外部空間に位置する推し棒が設置されており、前記穴あけ針とスライドできるように連結される従動板が共に二本の前記推し棒の右端と連結されており、前記斜め断面水管が前記受動板を貫通して前記受動板とスライドできるように連結されており、前記推し棒の左端には位置制限板が固定的に設置され、
前記移動チャンバの前後端壁のいずれもの中には従動チャンバが設置されており、前記従動チャンバの左右端壁の中には液圧溝が対称的に連結されており、前記従動チャンバの左右端壁の中には並進溝が対称的に設置されており、前記従動チャンバの中には両端がそれぞれ両側の前記並進溝の中に位置する並進板が設置されており、前記液圧溝の中には液圧ブロックが設置されており、前記液圧ブロックの一側端面には一端が前記並進溝の中に位置し且つ前記並進板と固定的に連結される推しブロックが設置されており、前記従動チャンバの左右端壁のにはいずれも液圧パイプが設置されており、左側の前記液圧パイプが前記液圧溝と前記推しチャンバとを連通し、右側の前記液圧パイプが右側の前記液圧溝と前記液圧チャンバとを連通し、前記従動チャンバには一端が前記並進板と連結され且つもう一端が前記移動チャンバの中に位置する従動柱が設置されており、前記従動柱の一端には挟み板が固定的に設置されており、前記挟み板の中には前記移動チャンバに連通するスライド空間が設置されており、前記挟み板と前記移動チャンバの端壁との間には二つの挟み撥条が固定的に連結されており、前記スライド空間の中には撥条ブロックが設置されており、前記撥条ブロックには一端が前記移動チャンバの中に位置し且つ前記挟み棒と連結される連結柱が設置されていることを特徴とする請求項１に記載のネックレス穴あけ装置。
【発明の詳細な説明】
【技術分野】
【０００１】
本発明は真珠穴あけ分野を取り上げて、具体的にはネックレス穴あけ装置。
【背景技術】
【０００２】
現在、真珠はアクセサリーにおいて不可欠な存在であり、上品な真珠は繋がれてからこそその価値が表わせ、現階段の真珠穴あけ装置はほとんど人工操作で穴を合わせ、労働量と操作の難度が増え、高効率の加工の実現に不利であり、それに加工時に水流をコントロールする必要があり、常に穴を開けるところを合わせ、高温によって真珠の品質の損ないを避けなければならなく、操作難度を更に高める。
【先行技術文献】
【特許文献】
【０００３】
【特許文献１】中国特許出願公開第108789867号明細書
【発明の概要】
【発明が解決しようとする課題】
【０００４】
本発明の目的はネックレス穴あけ装置を提供し、上記背景技術に提出される問題を解決する。
【課題を解決するための手段】
【０００５】
本発明において提供する実施例は：ネックレス穴あけ装置は、台座を含み、前記台座の中には上に開口する水槽が設置されており、前記水槽の中には上端が外部空間に位置する支柱が設置されており、前記支柱の中には上に開口する凹み溝が設置されており、前記台座の上端面には支持ブロックが設置されており、前記支持ブロックの中には右に開口する駆動溝が設置されており、前記駆動溝の中には第一モーターが設置されており、前記第一モーターの右端には駆動軸が伝動できるように設置されており、前記駆動軸の右端には右端が外部空間に位置する穴あけ針が設置されており、前記駆動溝の上端壁の中には貯水チャンバが設置されており、前記貯水チャンバの中にはバリアが設置されており、前記バリアの中には右端が外部空間に位置する斜め断面水管が設置されており、前記バリアの左端面には二つの戻しばねが設置されており、前記貯水チャンバの左端壁には外部空間に連通する通水管が設置されており、前記通水管の中には水圧ポンプが設置されており、前記支持ブロックの上端には固定ブロックが設置されており、前記固定ブロックの中には移動機構が設置されており、前記移動機構は下に開口する移動チャンバを含み、前記移動チャンバの前後端壁のいずれもの中には液圧機構が設置されている。
【０００６】
更なる技術方案、前記移動機構は二本の移動軸を含み、前記移動軸の両端と前記移動チャンバの端壁とが回転できるように連結されており、後側の前記移動軸の左端には第二モーターが伝動できるように連結されており、後側の前記移動軸には前端が前側の前記移動軸とスライドできるように連結される移動ブロックがねじ山によって連結され、前記移動ブロックの中には左に開口する移動溝が設置されており、前記移動溝の中には二つのスライダが設置されており、前記スライダの左端には左端が前記移動チャンバの中には位置するリンクが設置されており、前記リンクの左端には下端が前記水槽の中に位置する挟み棒が固定的に設置されており、前記移動チャンバの中には両端が全て外部空間に位置する真珠入りパイプが設置されており、前記真珠入りパイプには右に開口する切断溝が設置されている。
【０００７】
更なる技術方案、前記液圧機構は左に開口するスライドチャンバを含み、前記スライドチャンバの中には左端が前記切断溝の中に位置する切断板が設置されており、前記切断板の上端面には位置制限ブロックが設置されており、前記切断板の右端には液圧板がスライドできるように連結されており、前記切断板の右端には右端が前記スライドチャンバの端壁と連結される圧縮撥条が固定的に設置されており、前記スライドチャンバの右端壁の中には二つの液圧チャンバが設置されており、前記液圧チャンバには推し板が設置されており、前記液圧板の右端には右端が前記液圧チャンバの中に位置して前記推し板と連結される液圧棒が設置されており、前記支持ブロックの中には二つの推しチャンバが設置されており、前記推しチャンバの中にはスライドボードが設置されており、前記推しチャンバの中には右端が外部空間に位置する推し棒が設置されており、前記穴あけ針とスライドできるように連結される従動板が共に二本の前記推し棒の右端と連結されており、前記斜め断面水管が前記受動板を貫通して前記受動板とスライドできるように連結されており、前記推し棒の左端には位置制限板が固定的に設置され、
前記移動チャンバの前後端壁のいずれもの中には従動チャンバが設置されており、前記従動チャンバの左右端壁の中には液圧溝が対称的に連結されており、前記従動チャンバの左右端壁の中には並進溝が対称的に設置されており、前記従動チャンバの中には両端がそれぞれ両側の前記並進溝の中に位置する並進板が設置されており、前記液圧溝の中には液圧ブロックが設置されており、前記液圧ブロックの一側端面には一端が前記並進溝の中に位置し且つ前記並進板と固定的に連結される推しブロックが設置されており、前記従動チャンバの左右端壁のにはいずれも液圧パイプが設置されており、左側の前記液圧パイプが前記液圧溝と前記推しチャンバとを連通し、右側の前記液圧パイプが右側の前記液圧溝と前記液圧チャンバとを連通し、前記従動チャンバには一端が前記並進板と連結され且つもう一端が前記移動チャンバの中に位置する従動柱が設置されており、前記従動柱の一端には挟み板が固定的に設置されており、前記挟み板の中には前記移動チャンバに連通するスライド空間が設置されており、前記挟み板と前記移動チャンバの端壁との間には二つの挟み撥条が固定的に連結されており、前記スライド空間の中には撥条ブロックが設置されており、前記撥条ブロックには一端が前記移動チャンバの中に位置し且つ前記挟み棒と連結される連結柱が設置されている。
【発明の効果】
【０００８】
本発明の有益な効果は：本装置は結構が簡単で、操作が便利で、自動的に真珠に穴を開けられ、人工の協力が必要なく、真珠穴あけの効率を極めて高め、且つ伸縮できる斜め切断パイプによって、穴を開ける時常に穴を開けるところを合わせ、穴あけによって生じる熱量を減らし、真珠の損傷を減少し、機械の伝動によって、真珠の挟みから穴あけ、取り出しまでの過程を高効率便利に実現し、作業効率を高める。
【図面の簡単な説明】
【０００９】
下記に図1〜2をあわせて本発明について詳しく説明し、便利に説明するために、下記の方向を以下のように規定する：図１は本発明装置の正面図であり、以下に述べる上下左右前後の方向と図1の自身投影関係の上下左右前後の方向とが一致である。
【００１０】
【図１】図１は本発明のネックレス穴あけ装置の全体断面正面構成図
【図２】図２は本発明のネックレス穴あけ装置の全体断面上面拡大模式図
【図３】図３は本発明のネックレス穴あけ装置の真珠入りパイプと切断溝のところの全体断面の上面拡大構成図
【図４】図４は本発明のネックレス穴あけ装置の液圧機構の局部断面の正面拡大構造図
【発明を実施するための形態】
【００１１】
本説明書によって公開されるすべての特徴、或いは公開されるすべての方法或いは過程中の順序は、互いに排斥する特徴或いは順序以外、いかなる方法で組み合わせる。
【００１２】
図１〜２を参考して、本発明において提供する実施例は：ネックレス穴あけ装置は、台座１を含み、前記台座１の中には上に開口する水槽２が設置されており、前記水槽２の中には上端が外部空間に位置する支柱３５が設置されており、前記支柱３５の中には上に開口する凹み溝５０が設置されており、前記台座１の上端面には支持ブロック３が設置されており、前記支持ブロック３の中には右に開口する駆動溝４が設置されており、前記駆動溝４の中には第一モーター６が設置されており、前記第一モーター６の右端には駆動軸５が伝動できるように設置されており、前記駆動軸５の右端には右端が外部空間に位置する穴あけ針７が設置されており、前記駆動溝４の上端壁の中には貯水チャンバ１０が設置されており、前記貯水チャンバ１０の中にはバリア１２が設置されており、前記バリア１２の中には右端が外部空間に位置する斜め断面水管１３が設置されており、前記バリア１２の左端面には二つの戻しばね１１が設置されており、前記貯水チャンバ１０の左端壁には外部空間に連通する通水管８が設置されており、前記通水管８の中には水圧ポンプ９が設置されており、前記支持ブロック３の上端には固定ブロック２４が設置されており、前記固定ブロック２４の中には移動機構２３が設置されており、前記移動機構２３は下に開口する移動チャンバ１８を含み、前記移動チャンバ１８の前後端壁のいずれもの中には液圧機構２９が設置されている。
【００１３】
有益なように、前記移動機構２３は二本の移動軸１６を含み、前記移動軸１６の両端と前記移動チャンバ１８の端壁とが回転できるように連結されており、後側の前記移動軸１６の左端には第二モーター１５が伝動できるように連結されており、後側の前記移動軸１６には前端が前側の前記移動軸１６とスライドできるように連結される移動ブロック２０がねじ山によって連結され、前記移動ブロック２０の中には左に開口する移動溝５１が設置されており、前記移動溝５１の中には二つのスライダ２１が設置されており、前記スライダ２１の左端には左端が前記移動チャンバ１８の中には位置するリンク１９が設置されており、前記リンク１９の左端には下端が前記水槽２の中に位置する挟み棒３４が固定的に設置されており、前記移動チャンバ１８の中には両端が全て外部空間に位置する真珠入りパイプ２２が設置されており、前記真珠入りパイプ２２には右に開口する切断溝５２が設置されている。
【００１４】
有益なように、前記液圧機構２９は左に開口するスライドチャンバ２８を含み、前記スライドチャンバ２８の中には左端が前記切断溝５２の中に位置する切断板３１が設置されており、前記切断板３１の上端面には位置制限ブロック２５が設置されており、前記切断板３１の右端には液圧板３０がスライドできるように連結されており、前記切断板３１の右端には右端が前記スライドチャンバ２８の端壁と連結される圧縮撥条２７が固定的に設置されており、前記スライドチャンバ２８の右端壁の中には二つの液圧チャンバ４９が設置されており、前記液圧チャンバ４９には推し板４７が設置されており、前記液圧板３０の右端には右端が前記液圧チャンバ４９の中に位置して前記推し板４７と連結される液圧棒２６が設置されており、前記支持ブロック３の中には二つの推しチャンバ３７が設置されており、前記推しチャンバ３７の中にはスライドボード３８が設置されており、前記推しチャンバ３７の中には右端が外部空間に位置する推し棒３９が設置されており、前記穴あけ針７とスライドできるように連結される従動板１７が共に二本の前記推し棒３９の右端と連結されており、前記斜め断面水管１３が前記受動板１７を貫通して前記受動板１７とスライドできるように連結されており、前記推し棒３９の左端には位置制限板３６が固定的に設置され、
前記移動チャンバ１８の前後端壁のいずれもの中には従動チャンバ４４が設置されており、前記従動チャンバ４４の左右端壁の中には液圧溝５３が対称的に連結されており、前記従動チャンバ４４の左右端壁の中には並進溝４２が対称的に設置されており、前記従動チャンバ４４の中には両端がそれぞれ両側の前記並進溝４２の中に位置する並進板４３が設置されており、前記液圧溝５３の中には液圧ブロック４５が設置されており、前記液圧ブロック４５の一側端面には一端が前記並進溝４２の中に位置し且つ前記並進板４３と固定的に連結される推しブロック４８が設置されており、前記従動チャンバ４４の左右端壁のにはいずれも液圧パイプ４０が設置されており、左側の前記液圧パイプ４０が前記液圧溝５３と前記推しチャンバ３７とを連通し、右側の前記液圧パイプ４０が右側の前記液圧溝５３と前記液圧チャンバ４９とを連通し、前記従動チャンバ４４には一端が前記並進板４３と連結され且つもう一端が前記移動チャンバ１８の中に位置する従動柱４６が設置されており、前記従動柱４６の一端には挟み板３３が固定的に設置されており、前記挟み板３３の中には前記移動チャンバ３２に連通するスライド空間３２が設置されており、前記挟み板３３と前記移動チャンバ１８の端壁との間には二つの挟み撥条４１が固定的に連結されており、前記スライド空間３２の中には撥条ブロック５５が設置されており、前記撥条ブロック５５には一端が前記移動チャンバ１８の中に位置し且つ前記挟み棒３４と連結される連結柱５４が設置されている。
【００１５】
これから、付図１〜２及び以上説明するネックレス穴あけ装置の具体的な構造を参考して使用方法を詳しく紹介し：
【００１６】
前記第二モーター１５は作動し、前記移動軸１６を回転させ、前記移動ブロック２０を右へ運動させ、前記挟み棒３４を右へ運動させ、前記切断板３１を右へ運動させ、これにより前記液圧板３０と、前記液圧棒２６と前記推し板４７を右に運動させ、これにより左側の前記液圧板４５を運動させ、前記並進板４３と、前記従動柱４６を運動させ、これにより前記挟み板３３が前記挟み棒３４を前記支柱３５に接近連動させ、前記切断板３１が一定位置まで運動し、真珠は前記凹み溝５０の中に落ち、前記挟み板３３が右へ運動し、前記切断板３１が前記真珠入りパイプ２２から出る時、前記挟み棒３４が真珠を挟み、同時に前記並進板４３の運動は右側の前記液圧ブロック４５を運動させ、これによりスライド板３８を運動させ、これにより前記推し棒３９と前記従動板１７を右へ運動させ、前記従動板１７がリセットされ、この時前記第二モーター１５が逆方向に作業し、前記移動ブロック２０を左へ運動連動させ、前記第一モーター６の動作は前記駆動軸５を回転連動させ、前記穴あけ針７を回転連動させ、真珠と前記穴あけ針７とが接触する時、前記液圧ポンプ９が動作し、接触点に水を送り、前記切断板３１が前記圧縮撥条２７によってリセットされ、
穴あけを終えた後、前記移動ブロック２０は右へ運動し続き、これにより前記従動板１７と前記スライド板３８を左へ運動連動させ、前記液圧ブロック４５と、前記並進板４３と前記従動柱４６を運動連動させ、これにより前記挟み板３３が前記挟み棒３４を連動させて真珠を放し、同時に前記推し板４７が液圧によって前記液圧板３０と前記液圧棒２６を復帰連動させ、穴あけ済みの真珠は前記穴あけ針７に残り、前記第一モーター６が動作停止し、上記順序を繰り返し、前記従動板１７が右へ運動する時、真珠を前記穴あけ針から押し出して穴あけが完了する。
【００１７】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020179659.tif 000003
【図２】
2020179659.tif 000004
【図３】
2020179659.tif 000005
【図４】
2020179659.tif 000006
【手続補正書】
【提出日】令和1年11月19日(2019.11.19)
【手続補正１】
【補正対象書類名】特許請求の範囲
【補正対象項目名】全文
【補正方法】変更
【補正の内容】
【特許請求の範囲】
【請求項１】
正面視で、台座を含み、前記台座の中には上に開口する水槽が設置されており、前記水槽の中には上端が外部空間に位置する支柱が設置されており、前記支柱の中には上に開口する凹み空間が設置されており、前記台座の上端面には支持ブロックが設置されており、前記支持ブロックの中には右に開口する駆動空間が設置されており、前記駆動空間の中には第一モーターが設置されており、前記第一モーターの右端には駆動軸が伝動できるように設置されており、前記駆動軸の右端には右端が外部空間に位置する穴あけ針が設置されており、前記駆動空間の上端壁の中には貯水チャンバが設置されており、前記貯水チャンバの中にはバリアが設置されており、前記バリアの中には右端が外部空間に位置する斜め断面水管が設置されており、かつ前記斜め断面水管の右側末端の断面が下方へ傾斜し、前記バリアの左端面には二つの戻しばねが設置されており、前記貯水チャンバの左端壁には外部空間に連通する通水管が設置されており、前記通水管の中には水圧ポンプが設置されており、前記支持ブロックの上端には固定ブロックが設置されており、前記固定ブロックの中には移動機構が設置されており、前記移動機構は下に開口する移動チャンバを含み、前記移動チャンバの前後端壁のいずれもの中には液圧機構が設置されていることを特徴とするネックレス穴あけ装置。
【請求項２】
前記移動機構は二本の移動軸を含み、前記移動軸の両端と前記移動チャンバの端壁とが回転できるように連結されており、後側の前記移動軸の左端には第二モーターが伝動できるように連結されており、後側の前記移動軸には前端が前側の前記移動軸とスライドできるように連結される移動ブロックがねじ山によって連結され、前記移動ブロックの中には左に開口する移動空間が設置されており、前記移動空間の中には二つのスライダが設置されており、前記スライダの左端には左端が前記移動チャンバの中には位置するリンクが設置されており、前記リンクの左端には下端が前記水槽の中に位置する挟み棒が固定的に設置されており、かつ前記挟み棒が真珠を挟んで固定して穴をあけることができ、前記移動チャンバの中には両端が全て外部空間に位置する真珠入りパイプが設置されており、前記真珠入りパイプには右に開口する切断空間が設置されていることを特徴とする請求項１に記載のネックレス穴あけ装置。
【請求項３】
前記液圧機構は左に開口するスライドチャンバを含み、前記スライドチャンバの中には左端が前記切断空間の中に位置する切断板が設置されており、前記切断板の上端面には位置制限ブロックが設置されており、前記切断板の右端には液圧板がスライドできるように連結されており、前記切断板の右端には右端が前記スライドチャンバの端壁と連結される圧縮撥条が固定的に設置されており、前記スライドチャンバの右端壁の中には二つの液圧チャンバが設置されており、前記液圧チャンバには推し板が設置されており、前記液圧板の右端には右端が前記液圧チャンバの中に位置して前記推し板と連結される液圧棒が設置されており、前記支持ブロックの中には二つの推しチャンバが設置されており、前記推しチャンバの中にはスライドボードが設置されており、前記推しチャンバの中には右端が外部空間に位置する推し棒が設置されており、前記穴あけ針とスライドできるように連結される従動板が共に二本の前記推し棒の右端と連結されており、前記斜め断面水管が前記従動板を貫通して前記従動板とスライドできるように連結されており、前記推し棒の左端には位置制限板が固定的に設置され、前記移動チャンバの前後端壁のいずれもの中には従動チャンバが設置されており、前記従動チャンバの左右端壁の中には液圧空間が対称的に連結されており、前記従動チャンバの左右端壁の中には並進空間が対称的に設置されており、前記従動チャンバの中には両端がそれぞれ両側の前記並進空間の中に位置する並進板が設置されており、前記液圧空間の中には液圧ブロックが設置されており、前記液圧ブロックの一側端面には一端が前記並進空間の中に位置し且つ前記並進板と固定的に連結される推しブロックが設置されており、前記従動チャンバの左右端壁のにはいずれも液圧パイプが設置されており、左側の前記液圧パイプが前記液圧空間と前記推しチャンバとを連通し、右側の前記液圧パイプが右側の前記液圧空間と前記液圧チャンバとを連通し、前記従動チャンバには一端が前記並進板と連結され且つもう一端が前記移動チャンバの中に位置する従動柱が設置されており、前記従動柱の一端には挟み板が固定的に設置されており、前記挟み板の中には前記移動チャンバに連通するスライド空間が設置されており、前記挟み板と前記移動チャンバの端壁との間には二つの挟み撥条が固定的に連結されており、前記スライド空間の中には撥条ブロックが設置されており、前記撥条ブロックには一端が前記移動チャンバの中に位置し且つ前記挟み棒と連結される連結柱が設置されていることを特徴とする請求項２に記載のネックレス穴あけ装置。
【手続補正２】
【補正対象書類名】明細書
【補正対象項目名】全文
【補正方法】変更
【補正の内容】
【発明の詳細な説明】
【技術分野】
【０００１】
本発明は真珠穴あけ分野を取り上げて、具体的にはネックレス穴あけ装置。
【背景技術】
【０００２】
現在、真珠はアクセサリーにおいて不可欠な存在であり、上品な真珠は繋がれてからこそその価値が表わせ、現階段の真珠穴あけ装置はほとんど人工操作で穴を合わせ、労働量と操作の難度が増え、高効率の加工の実現に不利であり、それに加工時に水流をコントロールする必要があり、常に穴を開けるところを合わせ、高温によって真珠の品質の損ないを避けなければならなく、操作難度を更に高める。
【先行技術文献】
【特許文献】
【０００３】
【特許文献１】中国特許出願公開第108789867号明細書
【発明の概要】
【発明が解決しようとする課題】
【０００４】
本発明の目的はネックレス穴あけ装置を提供し、上記背景技術に提出される問題を解決する。
【課題を解決するための手段】
【０００５】
本発明において提供する実施例は：ネックレス穴あけ装置は、台座を含み、前記台座の中には上に開口する水槽が設置されており、前記水槽の中には上端が外部空間に位置する支柱が設置されており、前記支柱の中には上に開口する凹み空間が設置されており、前記台座の上端面には支持ブロックが設置されており、前記支持ブロックの中には右に開口する駆動空間が設置されており、前記駆動空間の中には第一モーターが設置されており、前記第一モーターの右端には駆動軸が伝動できるように設置されており、前記駆動軸の右端には右端が外部空間に位置する穴あけ針が設置されており、前記駆動空間の上端壁の中には貯水チャンバが設置されており、前記貯水チャンバの中にはバリアが設置されており、前記バリアの中には右端が外部空間に位置する斜め断面水管が設置されており、かつ前記斜め断面水管の右側末端の断面が下方へ傾斜し、前記バリアの左端面には二つの戻しばねが設置されており、前記貯水チャンバの左端壁には外部空間に連通する通水管が設置されており、前記通水管の中には水圧ポンプが設置されており、前記支持ブロックの上端には固定ブロックが設置されており、前記固定ブロックの中には移動機構が設置されており、前記移動機構は下に開口する移動チャンバを含み、前記移動チャンバの前後端壁のいずれもの中には液圧機構が設置されている。
【０００６】
更なる技術方案、前記移動機構は二本の移動軸を含み、前記移動軸の両端と前記移動チャンバの端壁とが回転できるように連結されており、後側の前記移動軸の左端には第二モーターが伝動できるように連結されており、後側の前記移動軸には前端が前側の前記移動軸とスライドできるように連結される移動ブロックがねじ山によって連結され、前記移動ブロックの中には左に開口する移動空間が設置されており、前記移動空間の中には二つのスライダが設置されており、前記スライダの左端には左端が前記移動チャンバの中には位置するリンクが設置されており、前記リンクの左端には下端が前記水槽の中に位置する挟み棒が固定的に設置されており、かつ前記挟み棒が真珠を挟んで固定して穴をあけることができ、前記移動チャンバの中には両端が全て外部空間に位置する真珠入りパイプが設置されており、前記真珠入りパイプには右に開口する切断空間が設置されている。
【０００７】
更なる技術方案、前記液圧機構は左に開口するスライドチャンバを含み、前記スライドチャンバの中には左端が前記切断空間の中に位置する切断板が設置されており、前記切断板の上端面には位置制限ブロックが設置されており、前記切断板の右端には液圧板がスライドできるように連結されており、前記切断板の右端には右端が前記スライドチャンバの端壁と連結される圧縮撥条が固定的に設置されており、前記スライドチャンバの右端壁の中には二つの液圧チャンバが設置されており、前記液圧チャンバには推し板が設置されており、前記液圧板の右端には右端が前記液圧チャンバの中に位置して前記推し板と連結される液圧棒が設置されており、前記支持ブロックの中には二つの推しチャンバが設置されており、前記推しチャンバの中にはスライドボードが設置されており、前記推しチャンバの中には右端が外部空間に位置する推し棒が設置されており、前記穴あけ針とスライドできるように連結される従動板が共に二本の前記推し棒の右端と連結されており、前記斜め断面水管が前記従動板を貫通して前記従動板とスライドできるように連結されており、前記推し棒の左端には位置制限板が固定的に設置され、前記移動チャンバの前後端壁のいずれもの中には従動チャンバが設置されており、前記従動チャンバの左右端壁の中には液圧空間が対称的に連結されており、前記従動チャンバの左右端壁の中には並進空間が対称的に設置されており、前記従動チャンバの中には両端がそれぞれ両側の前記並進空間の中に位置する並進板が設置されており、前記液圧空間の中には液圧ブロックが設置されており、前記液圧ブロックの一側端面には一端が前記並進空間の中に位置し且つ前記並進板と固定的に連結される推しブロックが設置されており、前記従動チャンバの左右端壁のにはいずれも液圧パイプが設置されており、左側の前記液圧パイプが前記液圧空間と前記推しチャンバとを連通し、右側の前記液圧パイプが右側の前記液圧空間と前記液圧チャンバとを連通し、前記従動チャンバには一端が前記並進板と連結され且つもう一端が前記移動チャンバの中に位置する従動柱が設置されており、前記従動柱の一端には挟み板が固定的に設置されており、前記挟み板の中には前記移動チャンバに連通するスライド空間が設置されており、前記挟み板と前記移動チャンバの端壁との間には二つの挟み撥条が固定的に連結されており、前記スライド空間の中には撥条ブロックが設置されており、前記撥条ブロックには一端が前記移動チャンバの中に位置し且つ前記挟み棒と連結される連結柱が設置されている。
【発明の効果】
【０００８】
本発明の有益な効果は：本装置は結構が簡単で、操作が便利で、自動的に真珠に穴を開けられ、人工の協力が必要なく、真珠穴あけの効率を極めて高め、且つ伸縮できる斜め切断パイプによって、穴を開ける時常に穴を開けるところを合わせ、穴あけによって生じる熱量を減らし、真珠の損傷を減少し、機械の伝動によって、真珠の挟みから穴あけ、取り出しまでの過程を高効率便利に実現し、作業効率を高める。
【図面の簡単な説明】
【０００９】
下記に図1〜2をあわせて本発明について詳しく説明し、便利に説明するために、下記の方向を以下のように規定する：図１は本発明装置の正面図であり、以下に述べる上下左右前後の方向と図1の自身投影関係の上下左右前後の方向とが一致である。
【００１０】
【図１】図１は本発明のネックレス穴あけ装置の全体断面正面構成図
【図２】図２は本発明のネックレス穴あけ装置の全体断面上面拡大模式図
【図３】図３は本発明のネックレス穴あけ装置の真珠入りパイプと切断空間のところの    全体断面の上面拡大構成図
【図４】図４は本発明のネックレス穴あけ装置の液圧機構の局部断面の正面拡大構造    図
【発明を実施するための形態】
【００１１】
本説明書によって公開されるすべての特徴、或いは公開されるすべての方法或いは過程中の順序は、互いに排斥する特徴或いは順序以外、いかなる方法で組み合わせる。
【００１２】
図１〜２を参考して、本発明において提供する実施例は：ネックレス穴あけ装置は、台座１を含み、前記台座１の中には上に開口する水槽２が設置されており、前記水槽２の中には上端が外部空間に位置する支柱３５が設置されており、前記支柱３５の中には上に開口する凹み空間５０が設置されており、前記台座１の上端面には支持ブロック３が設置されており、前記支持ブロック３の中には右に開口する駆動空間４が設置されており、前記駆動空間４の中には第一モーター６が設置されており、前記第一モーター６の右端には駆動軸５が伝動できるように設置されており、前記駆動軸５の右端には右端が外部空間に位置する穴あけ針７が設置されており、前記駆動空間４の上端壁の中には貯水チャンバ１０が設置されており、前記貯水チャンバ１０の中にはバリア１２が設置されており、前記バリア１２の中には右端が外部空間に位置する斜め断面水管１３が設置されており、かつ前記斜め断面水管１３の右側末端の断面が下方へ傾斜し、前記バリア１２の左端面には二つの戻しばね１１が設置されており、前記貯水チャンバ１０の左端壁には外部空間に連通する通水管８が設置されており、前記通水管８の中には水圧ポンプ９が設置されており、前記支持ブロック３の上端には固定ブロック２４が設置されており、前記固定ブロック２４の中には移動機構２３が設置されており、前記移動機構２３は下に開口する移動チャンバ１８を含み、前記移動チャンバ１８の前後端壁のいずれもの中には液圧機構２９が設置されている。
【００１３】
有益なように、前記移動機構２３は二本の移動軸１６を含み、前記移動軸１６の両端と前記移動チャンバ１８の端壁とが回転できるように連結されており、後側の前記移動軸１６の左端には第二モーター１５が伝動できるように連結されており、後側の前記移動軸１６には前端が前側の前記移動軸１６とスライドできるように連結される移動ブロック２０がねじ山によって連結され、前記移動ブロック２０の中には左に開口する移動空間５１が設置されており、前記移動空間５１の中には二つのスライダ２１が設置されており、前記スライダ２１の左端には左端が前記移動チャンバ１８の中には位置するリンク１９が設置されており、前記リンク１９の左端には下端が前記水槽２の中に位置する挟み棒３４が固定的に設置されており、かつ前記挟み棒３４が真珠を挟んで固定して穴をあけることができ、前記移動チャンバ１８の中には両端が全て外部空間に位置する真珠入りパイプ２２が設置されており、前記真珠入りパイプ２２には右に開口する切断空間５２が設置されている。
【００１４】
有益なように、前記液圧機構２９は左に開口するスライドチャンバ２８を含み、前記スライドチャンバ２８の中には左端が前記切断空間５２の中に位置する切断板３１が設置されており、前記切断板３１の上端面には位置制限ブロック２５が設置されており、前記切断板３１の右端には液圧板３０がスライドできるように連結されており、前記切断板３１の右端には右端が前記スライドチャンバ２８の端壁と連結される圧縮撥条２７が固定的に設置されており、前記スライドチャンバ２８の右端壁の中には二つの液圧チャンバ４９が設置されており、前記液圧チャンバ４９には推し板４７が設置されており、前記液圧板３０の右端には右端が前記液圧チャンバ４９の中に位置して前記推し板４７と連結される液圧棒２６が設置されており、前記支持ブロック３の中には二つの推しチャンバ３７が設置されており、前記推しチャンバ３７の中にはスライドボード３８が設置されており、前記推しチャンバ３７の中には右端が外部空間に位置する推し棒３９が設置されており、前記穴あけ針７とスライドできるように連結される従動板１７が共に二本の前記推し棒３９の右端と連結されており、前記斜め断面水管１３が前記従動板１７を貫通して前記従動板１７とスライドできるように連結されており、前記推し棒３９の左端には位置制限板３６が固定的に設置され、前記移動チャンバ１８の前後端壁のいずれもの中には従動チャンバ４４が設置されており、前記従動チャンバ４４の左右端壁の中には液圧空間５３が対称的に連結されており、前記従動チャンバ４４の左右端壁の中には並進空間４２が対称的に設置されており、前記従動チャンバ４４の中には両端がそれぞれ両側の前記並進空間４２の中に位置する並進板４３が設置されており、前記液圧空間５３の中には液圧ブロック４５が設置されており、前記液圧ブロック４５の一側端面には一端が前記並進空間４２の中に位置し且つ前記並進板４３と固定的に連結される推しブロック４８が設置されており、前記従動チャンバ４４の左右端壁のにはいずれも液圧パイプ４０が設置されており、左側の前記液圧パイプ４０が前記液圧空間５３と前記推しチャンバ３７とを連通し、右側の前記液圧パイプ４０が右側の前記液圧空間５３と前記液圧チャンバ４９とを連通し、前記従動チャンバ４４には一端が前記並進板４３と連結され且つもう一端が前記移動チャンバ１８の中に位置する従動柱４６が設置されており、前記従動柱４６の一端には挟み板３３が固定的に設置されており、前記挟み板３３の中には前記移動チャンバ３２に連通するスライド空間３２が設置されており、前記挟み板３３と前記移動チャンバ１８の端壁との間には二つの挟み撥条４１が固定的に連結されており、前記スライド空間３２の中には撥条ブロック５５が設置されており、前記撥条ブロック５５には一端が前記移動チャンバ１８の中に位置し且つ前記挟み棒３４と連結される連結柱５４が設置されている。
【００１５】
これから、付図１〜２及び以上説明するネックレス穴あけ装置の具体的な構造を参考して使用方法を詳しく紹介する：
【００１６】
前記第二モーター１５は作動し、前記移動軸１６を回転させ、前記移動ブロック２０を右へ運動させ、前記挟み棒３４を右へ運動させ、前記切断板３１を右へ運動させ、これにより前記液圧板３０と、前記液圧棒２６と前記推し板４７を右に運動させ、これにより左側の前記液圧板４５を運動させ、前記並進板４３と、前記従動柱４６を運動させ、これにより前記挟み板３３が前記挟み棒３４を前記支柱３５に接近連動させ、前記切断板３１が一定位置まで運動し、真珠は前記凹み空間５０の中に落ち、前記挟み板３３が右へ運動し、前記切断板３１が前記真珠入りパイプ２２から出る時、前記挟み棒３４が真珠を挟み、同時に前記並進板４３の運動は右側の前記液圧ブロック４５を運動させ、これによりスライド板３８を運動させ、これにより前記推し棒３９と前記従動板１７を右へ運動させ、前記従動板１７がリセットされ、この時前記第二モーター１５が逆方向に作業し、前記移動ブロック２０を左へ運動連動させ、前記第一モーター６の動作は前記駆動軸５を回転連動させ、前記穴あけ針７を回転連動させ、真珠と前記穴あけ針７とが接触する時、前記液圧ポンプ９が動作し、接触点に水を送り、前記切断板３１が前記圧縮撥条２７によってリセットされ、穴あけを終えた後、前記移動ブロック２０は右へ運動し続き、これにより前記従動板１７と前記スライド板３８を左へ運動連動させ、前記液圧ブロック４５と、前記並進板４３と前記従動柱４６を運動連動させ、これにより前記挟み板３３が前記挟み棒３４を連動させて真珠を放し、同時に前記推し板４７が液圧によって前記液圧板３０と前記液圧棒２６を復帰連動させ、穴あけ済みの真珠は前記穴あけ針７に残り、前記第一モーター６が動作停止し、上記順序を繰り返し、前記従動板１７が右へ運動する時、真珠を前記穴あけ針から押し出して穴あけが完了する。
【００１７】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
正面視で、台座を含み、前記台座の中には上に開口する水槽が設置されており、前記水槽の中には上端が外部空間に位置する支柱が設置されており、前記支柱の中には上に開口する凹み空間が設置されており、前記台座の上端面には支持ブロックが設置されており、前記支持ブロックの中には右に開口する駆動空間が設置されており、前記駆動空間の中には第一モーターが設置されており、前記第一モーターの右端には駆動軸が伝動できるように設置されており、前記駆動軸の右端には右端が外部空間に位置する穴あけ針が設置されており、前記駆動空間の上端壁の中には貯水チャンバが設置されており、前記貯水チャンバの中にはバリアが設置されており、前記バリアの中には右端が外部空間に位置する水管が設置されており、前記水管の右側末端は斜め切り口を備えており、前記バリアの左端面には二つの戻しばねが設置されており、前記貯水チャンバの左端壁には外部空間に連通する通水管が設置されており、前記通水管の中には水圧ポンプが設置されており、前記支持ブロックの上端には固定ブロックが設置されており、前記固定ブロックの中には移動機構が設置されており、前記移動機構は下に開口する移動チャンバを含み、前記移動チャンバの前後端壁のいずれもの中には液圧機構が設置されていることを特徴とするネックレス穴あけ装置。
【請求項２】
前記移動機構は二本の移動軸を含み、前記移動軸の両端と前記移動チャンバの端壁とが回転できるように連結されており、後側の前記移動軸の左端には第二モーターが伝動できるように連結されており、後側の前記移動軸には前端が前側の前記移動軸とスライドできるように連結される移動ブロックがねじ山によって連結され、前記移動ブロックの中には左に開口する移動空間が設置されており、前記移動空間の中には二つのスライダが設置されており、前記スライダの左端には左端が前記移動チャンバの中には位置するリンクが設置されており、前記リンクの左端には下端が前記水槽の中に位置する挟み棒が固定的に設置されており、かつ前記挟み棒が真珠を挟んで固定して穴をあけることができ、前記移動チャンバの中には両端が全て外部空間に位置する真珠入りパイプが設置されており、前記真珠入りパイプには右に開口する切断空間が設置されていることを特徴とする請求項１に記載のネックレス穴あけ装置。
【請求項３】
前記液圧機構は左に開口するスライドチャンバを含み、前記スライドチャンバの中には左端が前記切断空間の中に位置する切断板が設置されており、前記切断板の上端面には位置制限ブロックが設置されており、前記切断板の右端には液圧板がスライドできるように連結されており、前記切断板の右端には右端が前記スライドチャンバの端壁と連結される圧縮撥条が固定的に設置されており、前記スライドチャンバの右端壁の中には二つの液圧チャンバが設置されており、前記液圧チャンバには第一ピストンが設置されており、前記液圧板の右端には右端が前記液圧チャンバの中に位置して前記第一ピストンと連結される第一ピストンロッドが設置されており、前記支持ブロックの中には二つの推しチャンバが設置されており、前記推しチャンバの中には第二ピストンが設置されており、前記推しチャンバの中には右端が外部空間に位置する第二ピストンロッドが設置されており、前記穴あけ針とスライドできるように連結される従動板が共に二本の前記第二ピストンロッドの右端と連結されており、前記水管が前記従動板を貫通して前記従動板とスライドできるように連結されており、前記第二ピストンロッドの左端には位置制限板が固定的に設置され、前記移動チャンバの前後端壁のいずれもの中には従動チャンバが設置されており、前記従動チャンバの左右端壁の中には液圧空間が対称的に連結されており、前記従動チャンバの左右端壁の中には並進空間が対称的に設置されており、前記従動チャンバの中には両端がそれぞれ両側の前記並進空間の中に位置する並進板が設置されており、前記液圧空間の中には液圧ブロックが設置されており、前記液圧ブロックの一側端面には一端が前記並進空間の中に位置し且つ前記並進板と固定的に連結される推しブロックが設置されており、前記従動チャンバの左右端壁のにはいずれも液圧パイプが設置されており、左側の前記液圧パイプが前記液圧空間と前記推しチャンバとを連通し、右側の前記液圧パイプが右側の前記液圧空間と前記液圧チャンバとを連通し、前記従動チャンバには一端が前記並進板と連結され且つもう一端が前記移動チャンバの中に位置する従動柱が設置されており、前記従動柱の一端には挟み板が固定的に設置されており、前記挟み板の中には前記移動チャンバに連通するスライド空間が設置されており、前記挟み板と前記移動チャンバの端壁との間には二つの挟み撥条が固定的に連結されており、前記スライド空間の中には撥条ブロックが設置されており、前記撥条ブロックには一端が前記移動チャンバの中に位置し且つ前記挟み棒と連結される連結柱が設置されていることを特徴とする請求項２に記載のネックレス穴あけ装置。
【手続補正２】
【補正対象書類名】明細書
【補正対象項目名】全文
【補正方法】変更
【補正の内容】
【発明の詳細な説明】
【技術分野】
【０００１】
本発明は真珠穴あけ分野を取り上げて、具体的にはネックレス穴あけ装置。
【背景技術】
【０００２】
現在、真珠はアクセサリーにおいて不可欠な存在であり、上品な真珠は繋がれてからこそその価値が表わせ、現階段の真珠穴あけ装置はほとんど人工操作で穴を合わせ、労働量と操作の難度が増え、高効率の加工の実現に不利であり、それに加工時に水流をコントロールする必要があり、常に穴を開けるところを合わせ、高温によって真珠の品質の損ないを避けなければならなく、操作難度を更に高める。
【先行技術文献】
【特許文献】
【０００３】
【特許文献１】中国特許出願公開第１０８７８９８６７号明細書
【発明の概要】
【発明が解決しようとする課題】
【０００４】
本発明の目的はネックレス穴あけ装置を提供し、上記背景技術に提出される問題を解決する。
【課題を解決するための手段】
【０００５】
本発明において提供する実施例は：ネックレス穴あけ装置は、台座を含み、前記台座の中には上に開口する水槽が設置されており、前記水槽の中には上端が外部空間に位置する支柱が設置されており、前記支柱の中には上に開口する凹み空間が設置されており、前記台座の上端面には支持ブロックが設置されており、前記支持ブロックの中には右に開口する駆動空間が設置されており、前記駆動空間の中には第一モーターが設置されており、前記第一モーターの右端には駆動軸が伝動できるように設置されており、前記駆動軸の右端には右端が外部空間に位置する穴あけ針が設置されており、前記駆動空間の上端壁の中には貯水チャンバが設置されており、前記貯水チャンバの中にはバリアが設置されており、前記バリアの中には右端が外部空間に位置する水管が設置されており、前記水管の右側末端は斜め切り口を備えており、前記バリアの左端面には二つの戻しばねが設置されており、前記貯水チャンバの左端壁には外部空間に連通する通水管が設置されており、前記通水管の中には水圧ポンプが設置されており、前記支持ブロックの上端には固定ブロックが設置されており、前記固定ブロックの中には移動機構が設置されており、前記移動機構は下に開口する移動チャンバを含み、前記移動チャンバの前後端壁のいずれもの中には液圧機構が設置されている。
【０００６】
更なる技術方案、前記移動機構は二本の移動軸を含み、前記移動軸の両端と前記移動チャンバの端壁とが回転できるように連結されており、後側の前記移動軸の左端には第二モーターが伝動できるように連結されており、後側の前記移動軸には前端が前側の前記移動軸とスライドできるように連結される移動ブロックがねじ山によって連結され、前記移動ブロックの中には左に開口する移動空間が設置されており、前記移動空間の中には二つのスライダが設置されており、前記スライダの左端には左端が前記移動チャンバの中には位置するリンクが設置されており、前記リンクの左端には下端が前記水槽の中に位置する挟み棒が固定的に設置されており、かつ前記挟み棒が真珠を挟んで固定して穴をあけることができ、前記移動チャンバの中には両端が全て外部空間に位置する真珠入りパイプが設置されており、前記真珠入りパイプには右に開口する切断空間が設置されている。
【０００７】
更なる技術方案、前記液圧機構は左に開口するスライドチャンバを含み、前記スライドチャンバの中には左端が前記切断空間の中に位置する切断板が設置されており、前記切断板の上端面には位置制限ブロックが設置されており、前記切断板の右端には液圧板がスライドできるように連結されており、前記切断板の右端には右端が前記スライドチャンバの端壁と連結される圧縮撥条が固定的に設置されており、前記スライドチャンバの右端壁の中には二つの液圧チャンバが設置されており、前記液圧チャンバには第一ピストンが設置されており、前記液圧板の右端には右端が前記液圧チャンバの中に位置して前記第一ピストンと連結される第一ピストンロッドが設置されており、前記支持ブロックの中には二つの推しチャンバが設置されており、前記推しチャンバの中には第二ピストンが設置されており、前記推しチャンバの中には右端が外部空間に位置する第二ピストンロッドが設置されており、前記穴あけ針とスライドできるように連結される従動板が共に二本の前記第二ピストンロッドの右端と連結されており、前記水管が前記従動板を貫通して前記従動板とスライドできるように連結されており、前記第二ピストンロッドの左端には位置制限板が固定的に設置され、前記移動チャンバの前後端壁のいずれもの中には従動チャンバが設置されており、前記従動チャンバの左右端壁の中には液圧空間が対称的に連結されており、前記従動チャンバの左右端壁の中には並進空間が対称的に設置されており、前記従動チャンバの中には両端がそれぞれ両側の前記並進空間の中に位置する並進板が設置されており、前記液圧空間の中には液圧ブロックが設置されており、前記液圧ブロックの一側端面には一端が前記並進空間の中に位置し且つ前記並進板と固定的に連結される推しブロックが設置されており、前記従動チャンバの左右端壁のにはいずれも液圧パイプが設置されており、左側の前記液圧パイプが前記液圧空間と前記推しチャンバとを連通し、右側の前記液圧パイプが右側の前記液圧空間と前記液圧チャンバとを連通し、前記従動チャンバには一端が前記並進板と連結され且つもう一端が前記移動チャンバの中に位置する従動柱が設置されており、前記従動柱の一端には挟み板が固定的に設置されており、前記挟み板の中には前記移動チャンバに連通するスライド空間が設置されており、前記挟み板と前記移動チャンバの端壁との間には二つの挟み撥条が固定的に連結されており、前記スライド空間の中には撥条ブロックが設置されており、前記撥条ブロックには一端が前記移動チャンバの中に位置し且つ前記挟み棒と連結される連結柱が設置されている。
【発明の効果】
【０００８】
本発明の有益な効果は：本装置は結構が簡単で、操作が便利で、自動的に真珠に穴を開けられ、人工の協力が必要なく、真珠穴あけの効率を極めて高め、且つ伸縮できる斜め切断パイプによって、穴を開ける時常に穴を開けるところを合わせ、穴あけによって生じる熱量を減らし、真珠の損傷を減少し、機械の伝動によって、真珠の挟みから穴あけ、取り出しまでの過程を高効率便利に実現し、作業効率を高める。
【図面の簡単な説明】
【０００９】
下記に図１〜２をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のネックレス穴あけ装置の全体断面正面構成図
【図２】図２は本発明のネックレス穴あけ装置の全体断面上面拡大模式図
【図３】図３は本発明のネックレス穴あけ装置の真珠入りパイプと切断空間のところの    全体断面の上面拡大構成図
【図４】図４は本発明のネックレス穴あけ装置の液圧機構の局部断面の正面拡大構造    図
【発明を実施するための形態】
【００１１】
本説明書によって公開されるすべての特徴、或いは公開されるすべての方法或いは過程中の順序は、互いに排斥する特徴或いは順序以外、いかなる方法で組み合わせる。
【００１２】
図１〜２を参考して、本発明において提供する実施例は：ネックレス穴あけ装置は、台座１を含み、前記台座１の中には上に開口する水槽２が設置されており、前記水槽２の中には上端が外部空間に位置する支柱３５が設置されており、前記支柱３５の中には上に開口する凹み空間５０が設置されており、前記台座１の上端面には支持ブロック３が設置されており、前記支持ブロック３の中には右に開口する駆動空間４が設置されており、前記駆動空間４の中には第一モーター６が設置されており、前記第一モーター６の右端には駆動軸５が伝動できるように設置されており、前記駆動軸５の右端には右端が外部空間に位置する穴あけ針７が設置されており、前記駆動空間４の上端壁の中には貯水チャンバ１０が設置されており、前記貯水チャンバ１０の中にはバリア１２が設置されており、前記バリア１２の中には右端が外部空間に位置する水管１３が設置されており、前記水管１３の右側末端は斜め切り口を備えており、、前記バリア１２の左端面には二つの戻しばね１１が設置されており、前記貯水チャンバ１０の左端壁には外部空間に連通する通水管８が設置されており、前記通水管８の中には水圧ポンプ９が設置されており、前記支持ブロック３の上端には固定ブロック２４が設置されており、前記固定ブロック２４の中には移動機構２３が設置されており、前記移動機構２３は下に開口する移動チャンバ１８を含み、前記移動チャンバ１８の前後端壁のいずれもの中には液圧機構２９が設置されている。
【００１３】
有益なように、前記移動機構２３は二本の移動軸１６を含み、前記移動軸１６の両端と前記移動チャンバ１８の端壁とが回転できるように連結されており、後側の前記移動軸１６の左端には第二モーター１５が伝動できるように連結されており、後側の前記移動軸１６には前端が前側の前記移動軸１６とスライドできるように連結される移動ブロック２０がねじ山によって連結され、前記移動ブロック２０の中には左に開口する移動空間５１が設置されており、前記移動空間５１の中には二つのスライダ２１が設置されており、前記スライダ２１の左端には左端が前記移動チャンバ１８の中には位置するリンク１９が設置されており、前記リンク１９の左端には下端が前記水槽２の中に位置する挟み棒３４が固定的に設置されており、かつ前記挟み棒３４が真珠を挟んで固定して穴をあけることができ、前記移動チャンバ１８の中には両端が全て外部空間に位置する真珠入りパイプ２２が設置されており、前記真珠入りパイプ２２には右に開口する切断空間５２が設置されている。
【００１４】
有益なように、前記液圧機構２９は左に開口するスライドチャンバ２８を含み、前記スライドチャンバ２８の中には左端が前記切断空間５２の中に位置する切断板３１が設置されており、前記切断板３１の上端面には位置制限ブロック２５が設置されており、前記切断板３１の右端には液圧板３０がスライドできるように連結されており、前記切断板３１の右端には右端が前記スライドチャンバ２８の端壁と連結される圧縮撥条２７が固定的に設置されており、前記スライドチャンバ２８の右端壁の中には二つの液圧チャンバ４９が設置されており、前記液圧チャンバ４９には第一ピストン４７が設置されており、前記液圧板３０の右端には右端が前記液圧チャンバ４９の中に位置して前記第一ピストン４７と連結される第一ピストンロッド２６が設置されており、前記支持ブロック３の中には二つの推しチャンバ３７が設置されており、前記推しチャンバ３７の中には第二ピストン３８が設置されており、前記推しチャンバ３７の中には右端が外部空間に位置する第二ピストンロッド３９が設置されており、前記穴あけ針７とスライドできるように連結される従動板１７が共に二本の前記第二ピストンロッド３９の右端と連結されており、前記水管１３が前記従動板１７を貫通して前記従動板１７とスライドできるように連結されており、前記第二ピストンロッド３９の左端には位置制限板３６が固定的に設置され、前記移動チャンバ１８の前後端壁のいずれもの中には従動チャンバ４４が設置されており、前記従動チャンバ４４の左右端壁の中には液圧空間５３が対称的に連結されており、前記従動チャンバ４４の左右端壁の中には並進空間４２が対称的に設置されており、前記従動チャンバ４４の中には両端がそれぞれ両側の前記並進空間４２の中に位置する並進板４３が設置されており、前記液圧空間５３の中には液圧ブロック４５が設置されており、前記液圧ブロック４５の一側端面には一端が前記並進空間４２の中に位置し且つ前記並進板４３と固定的に連結される推しブロック４８が設置されており、前記従動チャンバ４４の左右端壁のにはいずれも液圧パイプ４０が設置されており、左側の前記液圧パイプ４０が前記液圧空間５３と前記推しチャンバ３７とを連通し、右側の前記液圧パイプ４０が右側の前記液圧空間５３と前記液圧チャンバ４９とを連通し、前記従動チャンバ４４には一端が前記並進板４３と連結され且つもう一端が前記移動チャンバ１８の中に位置する従動柱４６が設置されており、前記従動柱４６の一端には挟み板３３が固定的に設置されており、前記挟み板３３の中には前記移動チャンバ３２に連通するスライド空間３２が設置されており、前記挟み板３３と前記移動チャンバ１８の端壁との間には二つの挟み撥条４１が固定的に連結されており、前記スライド空間３２の中には撥条ブロック５５が設置されており、前記撥条ブロック５５には一端が前記移動チャンバ１８の中に位置し且つ前記挟み棒３４と連結される連結柱５４が設置されている。
【００１５】
これから、付図１〜２及び以上説明するネックレス穴あけ装置の具体的な構造を参考して使用方法を詳しく紹介する：
【００１６】
前記第二モーター１５は作動し、前記移動軸１６を回転させ、前記移動ブロック２０を右へ運動させ、前記挟み棒３４を右へ運動させ、前記切断板３１を右へ運動させ、これにより前記液圧板３０と、前記第一ピストンロッド２６と前記第一ピストン４７を右に運動させ、これにより左側の前記液圧板４５を運動させ、前記並進板４３と、前記従動柱４６を運動させ、これにより前記挟み板３３が前記挟み棒３４を前記支柱３５に接近連動させ、前記切断板３１が一定位置まで運動し、真珠は前記凹み空間５０の中に落ち、前記挟み板３３が右へ運動し、前記切断板３１が前記真珠入りパイプ２２から出る時、前記挟み棒３４が真珠を挟み、同時に前記並進板４３の運動は右側の前記液圧ブロック４５を運動させ、これによりスライド板３８を運動させ、これにより前記第二ピストンロッド３９と前記従動板１７を右へ運動させ、前記従動板１７がリセットされ、この時前記第二モーター１５が逆方向に作業し、前記移動ブロック２０を左へ運動連動させ、前記第一モーター６の動作は前記駆動軸５を回転連動させ、前記穴あけ針７を回転連動させ、真珠と前記穴あけ針７とが接触する時、前記液圧ポンプ９が動作し、接触点に水を送り、前記切断板３１が前記圧縮撥条２７によってリセットされ、穴あけを終えた後、前記移動ブロック２０は右へ運動し続き、これにより前記従動板１７と前記スライド板３８を左へ運動連動させ、前記液圧ブロック４５と、前記並進板４３と前記従動柱４６を運動連動させ、これにより前記挟み板３３が前記挟み棒３４を連動させて真珠を放し、同時に前記第一ピストン４７が液圧によって前記液圧板３０と前記第一ピストンロッド２６を復帰連動させ、穴あけ済みの真珠は前記穴あけ針７に残り、前記第一モーター６が動作停止し、上記順序を繰り返し、前記従動板１７が右へ運動する時、真珠を前記穴あけ針から押し出して穴あけが完了する。
【００１７】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。